(57)【要約】【課題】  フラットタイ、並びにフラットタイ及び非金属製せき板を用いた型枠設置方法を提供する。【解決手段】フラットタイ（２０）は、幅方向に離れて配置された各対のせき板（１０）を貫通し、該当のせき板（１０）の外側面から突出した両端部にそれぞれくさび孔（２１ａ）が設けられた、長い鉄材帯状のタイ本体（２１）と、幅方向に離れて配置された各対のせき板（１０）間の空間に位置するタイ本体（２１）の一側面に設けられ、それぞれのせき板（１０）の一側に係止されて各対のせき板（１０）がその設定間隔を維持可能にさせる複数の間隔維持突起（２２）と、を含む構成とする。【選択図】図１
2015522731.tif 000002
【特許請求の範囲】
【請求項１】
幅方向に一定間隔をおいて配置されるとともに長さ方向に連続して直立配置される複数のせき板間の空間を横切って両端部が前記それぞれのせき板の外側面から突出した状態で、前記一定間隔をおいて配置された各対のせき板間の空間にコンクリートの打設及び養生により埋め立てられるフラットタイであって、
前記フラットタイは、
前記幅方向に離れて配置された各対のせき板を貫通し、該当のせき板の外側面から突出した両端部にそれぞれくさび孔が設けられたタイ本体と、
前記幅方向に離れて配置された各対のせき板間の空間に位置する前記タイ本体の一側面に設けられ、前記それぞれのせき板の一側に係止されて前記各対のせき板がその設定間隔を維持可能にさせる複数の間隔維持突起と、
を備えてなり、
前記間隔維持突起は、前記フラットタイの一側面から直角で突出する直角突出構造となっており、
前記フラットタイは、前記長さ方向に連続して配置される複数のせき板の向かい合う縁部の間を通して幅方向に貫通配置され、
前記間隔維持突起は、前記対応するそれぞれのせき板の縁部の前後面を覆う前後面挟持構造となっていることを特徴とするフラットタイ。
【請求項２】
前記間隔維持突起の直角突出構造は、前記フラットタイの一側面を切ってその先端部を直角方向に折り曲げてなることを特徴とする、請求項１に記載のフラットタイ。
【請求項３】
前後面挟持構造の間隔維持突起を有するフラットタイを準備するステップと、
幅方向に一定間隔をおいて配置されるとともに長さ方向に連続するようにして複数個のせき板を直立配置するステップと、
前記長さ方向に連続するせき板間の向かい合うそれぞれの縁部をＨバーで連結するステップと、
前記隣り合うせき板間の向かい合う縁部の端面の間に、前記フラットタイを幅方向に横切るようにして配置し、前記フラットタイの両端部のくさび孔がそれぞれのせき板の外側面から突出するようにすると同時に、前記フラットタイのそれぞれの間隔維持突起が前記対応する一側のせき板の各縁部の前後面を覆って固定され、前記せき板の幅方向の設定間隔が維持されるようにするステップと、
を含む、フラットタイを用いた型枠設置方法。
【請求項４】
前記せき板として、中央貫通孔を有するせき板を準備し、
前記フラットタイとして、内側面係止構造の間隔維持突起を有するフラットタイを準備し、
前記フラットタイを、前記離れて配置された各対のせき板間の空間に配置し、前記向かい合うそれぞれのせき板の中央貫通孔の内側縁部に、前記内側面係止構造の間隔維持突起が掛かるようにし、前記せき板の幅方向の設定間隔が維持されるようにするステップ、をさらに含むことを特徴とする、請求項３に記載のフラットタイを用いた型枠設置方法。
【発明の詳細な説明】
【技術分野】
【０００１】
本発明は、コンクリート打設後に解体せずに建築用の内・外部断熱材として用いられる断熱性非金属製（例えば、スタイルフォームのような発泡フォーム材質、プラスチック材質）のせき板（型枠板）を用いた型枠を設置するために使用するフラットタイ、並びに該フラットタイ及び非金属製せき板を用いた型枠設置方法に関し、特に、コンクリート打設のために一定間隔を置いて配置される一対のせき板間の空間を横切るフラットタイのタイ本体の一側面に、該当のせき板の一側に係止されて各対のせき板がその設定間隔を維持できるようにする複数の間隔維持突起が設けられたフラットタイ、並びにフラットタイ及び非金属製せき板を用いた型枠設置方法に関する。
【背景技術】
【０００２】
一般に、建物などの施工時に、建物の外形をなす壁体を形成するために、壁体の型枠をなす複数のせき板と、複数のせき板の間に打ち込まれるコンクリート中に埋め立てられながら心棒の機能を果たすと同時に、せき板の外側に突出した端部には、せき板の間におけるコンクリート圧力を支えるためにくさびでフックなどを連結して横支持バー（パイプ）などを設置したり、又はせき板間の互いに当接する連結部位を覆って補強するための補強板を取り付けるためのフラットタイなどの建築材料が使われている。
【０００３】
一例として、従来の、建物の壁体を形成するための過程を概略的に説明すると、複数のせき板を幅方向に一定間隔を置いて配置するとともに長さ方向に連続するように直立に配列した後、このせき板間の空間にコンクリートを打設し養生することによって、所定の直立壁体を完成することができる。
【０００４】
そして、直立壁体の上端部に層板（スラブ）を形成する過程は、直立壁体の上端部に木材を水平方向に配置し、これらの木材上にさらに合板を配置して釘で固定し、その後、合板上に断熱（防塵）発泡スチロールを敷き、コンクリート打設後に木材及び合板を取り外す方法を用いる。
【０００５】
一方、従来は、せき板間のコンクリート打設のための空間を所定の設定間隔に維持するために、せき板の中央部に別途の間隔維持部材を配置している。
【０００６】
しかし、従来技術によるせき板間隔維持方法は、せき板の中央部に別途の間隔維持部材を設置して間隔を維持する方式であるため、基本的に、別途の間隔維持部材の準備にコストがかかる問題があり、また、せき板の中央部に配置された間隔維持部材への作業者の進入が難しいだけでなく、外部から手も届かないため、作業が複雑となるなどの問題もあった。
【発明の概要】
【発明が解決しようとする課題】
【０００７】
本発明は、上記の問題点を解決するために案出されたもので、コンクリート打設のために一定間隔を置いて配置される一対のせき板間の空間を横切るフラットタイのタイ本体の一側面に、該当のせき板の一側に係止されて各対のせき板がその設定間隔を維持できるようにする複数の間隔維持突起を設けることによって、基本的に、せき板の間隔維持のための別途の間隔維持部材が省かれ、コスト削減を図ることができるフラットタイ、並びにフラットタイ及び非金属製せき板を用いた型枠設置方法を提供することに目的がある。
【０００８】
また、せき板の縁部で間隔維持を行うようになっているため、既存のせき板の中央部で間隔維持を行うに伴う作業上の不具合も解消でき、作業能率の向上及び作業時間の短縮などといった作業性全般の改善を図ることができるフラットタイ、並びにフラットタイ及び非金属製せき板を用いた型枠設置方法を提供することに他の目的がある。
【課題を解決するための手段】
【０００９】
上記の目的を達成するための本発明の一実施例に係るフラットタイは、幅方向に一定間隔をおいて配置されるとともに長さ方向に連続して直立配置される複数のせき板間の空間を横切って両端部が前記それぞれのせき板の外側面から突出した状態で、前記一定間隔をおいて配置された各対のせき板間の空間にコンクリートの打設及び養生により埋め立てられるフラットタイであって、前記幅方向に離れて配置された各対のせき板を貫通し、該当のせき板の外側面から突出した両端部にそれぞれくさび孔が設けられたタイ本体と、前記幅方向に離れて配置された各対のせき板間の空間に位置する前記タイ本体の一側面に設けられ、前記それぞれのせき板の一側に係止されて前記各対のせき板がその設定間隔を維持可能にさせる複数の間隔維持突起と、を備えてなる。
【００１０】
また、本発明の一実施例に係るフラットタイにおいて、前記間隔維持突起は、前記フラットタイの一側面から直角で突出する直角突出構造となっていてもよい。
【００１１】
また、本発明の一実施例に係るフラットタイにおいて、前記フラットタイは、前記長さ方向に連続して配置される複数のせき板の向かい合う縁部の間を通して幅方向に貫通配置され、前記間隔維持突起は、前記対応するそれぞれのせき板の縁部の前後面を覆う前後面挟持構造となっていてもよい。
【００１２】
そして、本発明の一実施例に係るフラットタイを用いた型枠設置方法は、前後面挟持構造の間隔維持突起を有するフラットタイを準備するステップと、幅方向に一定間隔をおいて配置されるとともに長さ方向に連続するようにして複数個のせき板を直立配置するステップと、前記長さ方向に連続するせき板間の向かい合うそれぞれの縁部をＨバーで連結するステップと、前記隣り合うせき板間の向かい合う縁部の端面の間に、前記フラットタイを幅方向に横切るようにして配置し、前記フラットタイのそれぞれの間隔維持突起が前記対応する一側のせき板の各縁部の前後面を覆って固定され、前記せき板の幅方向の設定間隔が維持されるようにするステップと、を含む。
【発明の効果】
【００１３】
本発明のフラットタイ、並びにフラットタイ及び非金属製せき板を用いた型枠設置方法は、コンクリート打設のために一定間隔を置いて配置される一対のせき板間の空間を横切るフラットタイのタイ本体の一側面に、該当のせき板の一側に係止されて各対のせき板がその設定間隔を維持できるようにする複数の間隔維持突起を設けることによって、基本的に、せき板の間隔維持のための別途の間隔維持部材が省かれ、コスト削減を図ることができる。
【００１４】
また、せき板の縁部で間隔維持を行うようになっているため、既存のせき板の中央部で間隔維持を行うに伴う作業上の不具合も解消でき、作業能率の向上及び作業時間の短縮などといった作業性全般の改善を図ることができる。
【図面の簡単な説明】
【００１５】
【図１】本発明の一実施例に係るフラットタイを示す斜視図である。
【図２】本発明の他の実施例に係るフラットタイを示す斜視図である。
【図３】本発明の実施例に係るフラットタイを用いたせき板の設置過程を示す概略斜視図である。
【図４】本発明の実施例に係るフラットタイを用いたせき板の設置過程のうち、フックと横支持バーが取り付けられた状態を示す要部斜視図である。
【図５】本発明の実施例に係るフラットタイを用いたせき板の設置過程を示す概略平断面図である。
【図６】本発明の実施例で使用できるせき板の一例を示す斜視図である。
【発明を実施するための形態】
【００１６】
以下、添付の図面を用いて本発明を説明する。
【００１７】
図１乃至図５に示すように、本発明の一実施例に係るフラットタイは、幅方向に一定間隔をおいて配置されるとともに長さ方向に連続して直立配置される複数のせき板１０間の空間を横切って両端部がそれぞれのせき板１０の外側面から突出した状態で、各対のせき板１０間の空間にコンクリートの打設及び養生により埋め立てられるようになっている。
【００１８】
そして、フラットタイ２０は、幅方向に離れて配置された各対のせき板１０を貫通し、そのせき板１０の外側面から突出した両端部にそれぞれくさび孔２１ａが設けられた、長い鉄材帯状のタイ本体２１と、幅方向に離れて配置された各対のせき板１０間の空間に位置するタイ本体２１の一側面に設けられ、それぞれのせき板１０の一側に係止されて各対のせき板１０がその設定間隔を維持できるようにする複数の間隔維持突起２２と、を含む構成になっている。
【００１９】
ここで、間隔維持突起２２は、フラットタイ２０の一側面から直角で突出する直角突出構造となっている。
【００２０】
そして、フラットタイ２０は、長さ方向に連続して配置される複数のせき板１０の向かい合う縁部の間を通して幅方向に貫通配置され、間隔維持突起２２は、対応するそれぞれのせき板１０の縁部の前後面を覆うような前後面挟持構造となっている。
【００２１】
すなわち、間隔維持突起２２は、該当するせき板１０の各縁部の前後面を覆うために総４個の突起構造となっている。
【００２２】
そして、図２に示すように、本発明の他の実施例であるフラットタイ２５は、せき板１０の中央部に対する間隔維持のために、中央部に中央貫通孔１１が形成されたせき板１０に適用されるもので、フラットタイ２５は、せき板１０の中央貫通孔１１を貫通して配置され、間隔維持突起２６は、該当のせき板１０の向かい合う内側面側の中央貫通孔１１の縁部に掛かる内側面係止構造となっている。
【００２３】
すなわち、間隔維持突起２６は、該当のせき板１０の向かい合う内側面側の中央貫通孔１１の縁部に掛かる総２個の突起構造となっている。
【００２４】
そして、間隔維持突起２２，２６の直角突出構造は、フラットタイ２０，２５の一側面を切ってその先端部を直角方向に折り曲げた構造となっている。
【００２５】
一方、図４に示すように、せき板１０の外側に露出されたフラットタイ２０，２５の両端のくさび孔２１ａ，２５ａを通しては別途のフック５０をくさび５１で連結し、フック５０に横支持バー５２を設置できるようになっている。
【００２６】
ここで、横支持バー５２とせき板１０との間の空間には、横支持バー５２を支持するための別途の角材５３が配置されてもよい。
【００２７】
また、横支持バー５２を設置する前に、図３に示すように、せき板１０の外側に露出されたフラットタイ２０の両端のくさび孔２１ａを通して別途の補強板５４を装着し、連続して配置されるせき板１０の連結部位を補強できるようになっている。
【００２８】
未説明符号３０は、長さ方向に連続して配置されるせき板１０間の向かい合う縁部を互いに連結するためのＨバーを表し、４０は、せき板１０間のコーナー部を連結するためのコーナーバーを表す。
【００２９】
そして、Ｈバー３０の一側には、フラットタイ２０が挿入して安着するように凹んだタイ着座溝３１が設けられている。
【００３０】
そして、本発明では、せき板１０同士がＨバー３０によって連結されるため、間隔維持突起２２は、Ｈバー３０を介在してそれぞれのせき板１０の縁部の前後面を覆う構造となっている。
【００３１】
また、未説明符号１２は、せき板１０の縁部のうち、Ｈバー３０がせき板１０の前後面と同一平面上に置かれるように凹んだ凹溝部（１２、図６参照）を表し、１２ａ（図６参照）は、せき板１０とＨバー３０とを連結固定させるための固定ピンが貫通する貫通孔を表し、１２ｂ（図６参照）は、フラットタイ２０が貫通するＴ字状のタイ貫通孔を表す。
【００３２】
このように構成された本発明の実施例に係るフラットタイを用いたせき板の設置過程について説明する。まず、前後面挟持構造の間隔維持突起２２を有するフラットタイ２０を準備する。
【００３３】
その後、幅方向に一定間隔をおいて配置されるとともに長さ方向に連続するようにして複数個のせき板１０を直立配置する。
【００３４】
その後、長さ方向に連続するせき板１０間の向かい合うそれぞれの縁部をＨバー３０で連結する。
【００３５】
続いて、隣り合うせき板１０の向かい合う縁部の端面の間に、フラットタイ２０を幅方向に横切るようにして配置する。すなわち、フラットタイ２０のそれぞれの間隔維持突起２２がＨバー３０を介在して上記対応する各せき板１０の各縁部の前後面を覆って固定され、せき板１０の幅方向の設定間隔が維持されるようにする。これで、本発明のフラットタイを用いた型枠の設置が完了する。
【００３６】
一方、せき板１０が中央貫通孔１１を有するせき板１０である場合、内側面係止構造の間隔維持突起２６を有するフラットタイ２５も準備する。このフラットタイ２５は、離れて配置された各対のせき板１０間の空間に配置し、向かい合うそれぞれのせき板１０の中央貫通孔１１の内側縁部に、内側面係止構造の間隔維持突起２６が掛かるようにし、せき板１０の中央部においても幅方向の設定間隔が維持されるようにする。
【００３７】
その後、せき板１０の外側に露出されたフラットタイ２０の両端のくさび孔２１ａを通して補強板５４を装着し、続いてフック５０を連結して横支持バー５２などの補強構造物をさらに設置することができる。
【００３８】
この状態で、せき板１０間の空間にコンクリートを打設し養生して、所定の建物用の直立壁体を完成することができる。
【００３９】
このように、本発明の一実施例に係る型枠は、コンクリート打設のために一定間隔を置いて配置される一対のせき板間の空間を横切るフラットタイのタイ本体の一側面に、該当する一つのせき板に係止されながら各対のせき板がその設定間隔を維持できるようにする複数の間隔維持突起を設けることによって、基本的に、せき板の間隔維持のための別途の間隔維持部材が省かれ、コスト削減を図ることができ、且つ、せき板の縁部で間隔維持を行うようになっているため、既存のせき板の中央部で間隔維持を行うに伴う作業上の不具合も解消でき、作業能率の向上及び作業時間の短縮などといった作業性全般の改善を図ることができる。
【００４０】
以上では好適な実施例を挙げて本発明を説明してきたが、それらの実施例を従来の公知技術と単純に組み合わせて適用した変形例はもとより、本発明の特許請求の範囲や詳細な説明において、本発明の属する技術の分野における当業者が容易に変更して利用できる技術はいずれも本発明の技術範囲に含まれることはいうまでもない。
【符号の説明】
【００４１】
１０・・・せき板
１１・・・中央貫通孔
１２・・・凹溝部
１２ａ・・・貫通孔
１２ｂ・・・タイ貫通孔
２０、２５・・・フラットタイ
２１・・・タイ本体
２１ａ、２５ａ・・・くさび孔
２２、２６・・・間隔維持突起
３０・・・Ｈバー
３１・・・タイ着座溝
４０・・・コーナーバー
５０・・・フック
５１・・・くさび
５２・・・横支持バー
５３・・・角材
５４・・・補強板
【図１】
2015522731.tif 000003
【図２】
2015522731.tif 000004
【図３】
2015522731.tif 000005
【図４】
2015522731.tif 000006
【図５】
2015522731.tif 000007
【図６】
2015522731.tif 000008
【国際調査報告】
2015522731.tif 000009
2015522731.tif 000010
2015522731.tif 000011
2015522731.tif 000012